(57)【要約】【課題】  操作部を有する携帯型電子機器の本体の軽量化、薄型化を可能とし、本体の電池蓋、電池用端子等の部品削減を図る。【解決手段】  情報記録媒体３を保持する保持部２２と、情報記録媒体３を駆動する駆動部２４とを有する本体１０と、本体に接続ケーブル１４を介して着脱自在に接続される操作部１５と、操作部１５に収納され駆動部２４の電力を供給する電池４３とを備える。【選択図】  図２
2006147109.tif 000002
【特許請求の範囲】
【請求項１】
情報記録媒体を保持する保持部と、上記情報記録媒体を駆動する駆動部とを有する本体と、
上記本体に接続ケーブルを介して着脱自在に接続される操作部と、
上記操作部に収納され上記駆動部の電力を供給する電池とを備えた携帯型電子機器。
【請求項２】
ディスク状記録媒体を保持する保持部と、上記ディスク状記録媒体に対して情報信号を記録及び／又は再生するヘッド部と、上記ディスク状記録媒体を回転操作する回転駆動部とを有する本体と、
上記本体に接続ケーブルを介して着脱自在に接続される操作部と、
上記操作部に収納され上記ヘッド部及び上記回転駆動部の電力を供給する電池とを備えた携帯型電子機器。
【請求項３】
上記操作部には、表示部が設けられ、
上記電池は、上記操作部の電力を供給することを特徴とする請求項２記載の携帯型電子機器。
【発明の詳細な説明】
【技術分野】
【０００１】
本発明は、携帯型のオーディオ機器等の電子機器に関する。
【背景技術】
【０００２】
携帯型のオーディオ機器は、近年において、小型化、薄型化の要請が強くなっている。従来の携帯型電子機器は、小型化、薄型化を実現するために、駆動電源としての電池の機器本体内における収納スペースを効率的に有効利用している。
【０００３】
例えば、ディスク状記録媒体に対応する携帯型電子機器として、薄型化を実現するために、ディスク状記録媒体の側部に、すなわち、ディスク状記録媒体と同一平面内に電池が配置されるものがある。
【０００４】
また、さらなる小型化を実現するために、ディスク状記録媒体の下面部に電池を配置して、メカデッキ、基板を切り取るような形状でセットの小型化・薄型化を図った携帯型電子機器が知られている。
【０００５】
しかしながら、上述の携帯型電子機器において、機器本体における電池の収納スペースの有効利用には限界があり、電池を機器本体に収納する限り、電池の大きさが携帯型電子機器本体の厚みを決定する要素となり、携帯型電子機器の薄型化を制限するものであった。
【０００６】
さらに、電池の機器本体内の収納スペースを効率的に利用していることから、携帯型電子機器のヘッドホン、マイク、光入力、ＵＳＢ等のジャックの配置、各種つまみ、釦等の配置、及び、コイル、コンデンサ等の電子部品等の配置も電池の配置に大きく制約を受けている。
【０００７】
また、この携帯型電子機器の軽量化の面においても、メカデッキ、シャーシ、パネルの軽量化は、進められてきたが、電池の軽量化には限界があり、電池重量が携帯型電子機器の約２０％近くを占めている。
【０００８】
このように携帯型電子機器のさらなる小型化・薄型化・軽量化は、各構成部品の小型化及び収納スペースの有効利用だけでは、限界があり、困難とされていた。
【０００９】
【特許文献１】特開平８−１９０５４号公報
【発明の開示】
【発明が解決しようとする課題】
【００１０】
本発明の目的は、携帯型電子機器の駆動電池を本体とは別体に設けられた操作部に内蔵することで、本体の軽量化、薄型化を可能とし、本体の電池蓋、電池用端子等の部品削減を図るとともに、落下等による衝撃による損傷の多い電池蓋をなくすことで、市場における不良品を削減することができ、さらに、電子機器本体に設けられる各種ジャック、電気部品、つまみ、釦等の配置に自由度を向上させることができ、パネル等のデザインの自由度を向上させることができる携帯型電子機器を提供することにある。
【課題を解決するための手段】
【００１１】
この目的を達成するため、本発明に係る携帯型電子機器は、情報記録媒体を保持する保持部と、情報記録媒体を駆動する駆動部とを有する本体と、本体に接続ケーブルを介して着脱自在に接続される操作部と、操作部に収納され駆動部の電力を供給する電池とを備える。
【００１２】
また、本発明に係る携帯型電子機器は、ディスク状記録媒体を保持する保持部と、ディスク状記録媒体に対して情報信号を記録及び／又は再生するヘッド部と、ディスク状記録媒体を回転操作する回転駆動部とを有する本体と、本体に接続ケーブルを介して着脱自在に接続される操作部と、操作部に収納されヘッド部及び回転駆動部の電力を供給する電池とを備える。
【発明の効果】
【００１３】
本発明の携帯型電子機器によれば、操作部に収納された電池により、本体を駆動させることができるので、本体に電池を設ける必要をなくし、本体から電池を設けない構成により、本体の薄型化、軽量化を実現できる。
【００１４】
また、本発明の携帯型電子機器によれば、本体から電池をなくすことができ、各種ジャック、電気部品、つまみ、釦、表示部等の配置の自由度を向上させることができる。さらに、本発明の携帯型電子機器によれば、本体の電池蓋、電池端子等の部品を削減でき、電池蓋をなくすことで、落下時の衝撃による損傷を防止することができるので、市場における不良品を削減することができる。
【発明を実施するための最良の形態】
【００１５】
以下、本発明を適用した携帯型電子機器について図面を参照して説明する。この携帯型電子機器は、例えば、ディスク状記録媒体に対して記録及び／又は再生を行う携帯型の装置であり、特に、ディスク状記録媒体としてディスクカートリッジを用いる。
【００１６】
先ず、本発明を適用した携帯型電子機器の説明に先だって、この携帯型電子機器に用いるディスクカートリッジについて説明する。図１に示すように、携帯型電子機器１に用いられるディスクカートリッジ２は、一対の上ハーフ２ａと下ハーフ２ｂとを突き合わすことにより構成されたカートリッジ本体２ｃに、光磁気ディスク３が回転可能に収納されてなる。
【００１７】
光磁気ディスク３の中心部には、携帯型電子機器１側の回転駆動部を構成するディスクテーブルが係合するセンタ孔が設けられ、このセンタ孔を閉塞するようにしてクランピングプレート３ａが取り付けられている。クランピングプレート３ａは、金属板等の磁性材料で形成され、回転駆動部を構成するディスクテーブルに磁気吸引される。
【００１８】
この光磁気ディスク３を回転可能に収納するカートリッジ本体２ｃには、前面側略中央の上ハーフ２ａ及び下ハーフ２ｂの互いに対向する面に、光磁気ディスク３の信号記録領域の一部を径方向に亘って外部に臨ませる記録再生用の開口部４，４が形成されている。上ハーフ２ａ側の開口部４は、光磁気ディスク３の光磁気記録層に対して磁界を印加する磁気ヘッドをカートリッジ本体２ｃ内部に進入させるためのものであり、下ハーフ２ｂ側の開口部４は、光ピックアップを光磁気ディスク３に臨ませるためのものである。
【００１９】
カートリッジ本体２ｃの前面側には、記録再生用の開口部４，４を開閉するためのシャッタ部材５がスライド可能に取り付けられている。このシャッタ部材５は、カートリッジ本体２の外形に沿って略コ字状に折り曲げられた平板部材によって形成されており、各主面部は、記録再生用の開口部４，４を閉塞するのに足る大きさに形成されている。このシャッタ部材５は、携帯型電子機器１に装填されたときに、記録再生用の開口部４，４を開放し、携帯型電子機器１に装着されていない使用されないとき時には開口部４，４を閉塞する。
【００２０】
下ハーフ２ｂの中央部には、光磁気ディスク３のクランピングプレート３ａを外部に臨ませる略円形のディスク駆動用の開口部６が設けられている。ディスクカートリッジ２が携帯型電子機器１に装填されたとき、この開口部６からは、ディスクテーブルが進入し、クランピングプレート３ａとディスクテーブルとが係合する。
【００２１】
以上のようなディスクカートリッジ２は、カートリッジ本体２ｃの前面と直交する一側面を挿入端として、携帯型電子機器１に装填される。すると、シャッタ部材５は、ディスクカートリッジ２の挿入方向と平行な方向に、カートリッジ本体２ｃの前面に沿ってスライドし、記録再生用の開口部４，４を開放し、光磁気ディスク３の記録再生の可能な状態にする。
【００２２】
なお、カートリッジ本体２ｃ内に収納する情報記録媒体としては、上述の光磁気ディスク３の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００２３】
以上のようなディスクカートリッジ２を情報記録媒体に用いる携帯型電子機器１について図２を参照して説明すると、この携帯型電子機器１は、ディスクカートリッジ２を着脱自在に保持する保持部としてカートリッジホルダ２２と、ディスクカートリッジ２に収納された光磁気ディスク３に対して情報信号を記録及び／又は再生する光ピックアップ１２と、装着されたディスクカートリッジ２に収納された光磁気ディスク３を回転操作する回転駆動部１３とを有する装置本体１０と、この装置本体１０に接続ケーブル１４を介して着脱自在に接続される操作部１５とを備える。
【００２４】
装置本体１０には、ディスクカートリッジ２が装着されて保持される装着部２０と、この装着部２０を開閉する蓋体と、操作部１５に接続するための接続ケーブルを接続するための接続部１６と、ヘッドホン、マイク、光入力、ＵＳＢ等のジャック１７とが設けられている。
【００２５】
そして、図１に示すように、装置本体１０を構成する外筐内には、ディスクカートリッジ２が装着される装着部２０が一方の主面に構成されたシャーシ２１が配設されている。このシャーシ２１には、ディスクカートリッジ２を保持する保持部としてカートリッジホルダ２２がシャーシ側に設けられた支軸２３に軸支されて回動可能に取り付けられており、このカートリッジホルダ２２は、外筐の一部を構成して装着部を開閉する蓋体と共に回動する。この携帯型電子機器１では、蓋体が装着部２０を開放しているとき、ディスクカートリッジ２がカートリッジホルダ２２に挿入される。カートリッジホルダ２２にディスクカートリッジ２が挿入されると、シャッタ部材５は、カートリッジ本体２ｃの前面部に沿ってスライドし、記録再生用の開口部４，４を開放した状態となる。そして、蓋体がシャーシ２１に設けられた装着部２０を閉塞する方向に回動操作されることによって、カートリッジホルダ２２に保持されたディスクカートリッジ２が装着部２０に装着される。
【００２６】
装置本体１０を構成する筐体内に配設され、一方の面がディスクカートリッジ２が装着される装着部２０とされるシャーシ２１には、図１に示すように、カートリッジ本体２ｃに収納された光磁気ディスク３を回転駆動する回転駆動部１３と、この回転駆動部１３により回転駆動される光磁気ディスク３に対して光ビームを照射し光磁気ディスク３の反射膜で反射された戻りの光ビームを検出する光ピックアップ１２とが配置されている。
【００２７】
回転駆動部１３は、光磁気ディスク３を回転するための駆動源となるスピンドルモータ２４を有し、このスピンドルモータ２４は、シャーシ２１の下面側略中央部に、駆動軸を上面側に突出させるように配設されている。この駆動軸には、光磁気ディスク３のクランピングプレート３ａに係合されるディスクテーブルが取り付けられている。このディスクテーブルは、クランピングプレート３ａを磁気吸引するためのマグネットが内蔵されており、下ハーフ２ｂに設けられたディスク駆動用の開口部４よりカートリッジ本体２ｃ内に進入してクランピングプレート３ａを磁気吸引する。ディスクテーブルは、光磁気ディスク３のセンタ孔に係合することによって、光磁気ディスク３がセンタリングされて装着される。光磁気ディスク３は、このようなディスクテーブルに装着されることにより、センタリングが図られた状態でディスクテーブルと一体的に回転される。
【００２８】
光ピックアップ１２は、光学系として、光ビームを出射する半導体レーザ、この半導体レーザより出射された光ビームを集束する対物レンズ２５、光磁気ディスク３で反射された戻りの光ビームを検出する光検出器等を備える。半導体レーザより出射された光ビームは、対物レンズ２５により集束され、光磁気ディスク３の光磁気記録層に照射される。光磁気ディスク３の反射膜で反射された戻りの光ビームは、光検出器により電気信号に変換され、後述するＲＦアンプ５１に出力される。
【００２９】
この光ピックアップ１２は、シャーシ２１に設けられた光ピックアップ１２の移動領域に対応して開口された光ピックアップ用開口部から、対物レンズ２５が装着部２０に装着されたディスクカートリッジ２側に臨むように、シャーシ２１に配置されている。
【００３０】
光ピックアップ１２には、光磁気ディスク３を挟んで対物レンズ２５と対向するように磁気ヘッド２６が取り付けられている。磁気ヘッド２６は、光ピックアップ１２と磁気ヘッド２６とを連結する連結部材２７に取り付けられたヘッド支持アーム２８の先端部に取り付けられている。このヘッド支持アーム２８は、ジンバルバネ等の弾性変位可能な部材で形成されており、記録時において、光磁気ディスク３の光磁気記録層に磁界を印加することができるように、磁気ヘッド２６を光磁気ディスク３に摺動させる。
【００３１】
光ピックアップ１２は、対物レンズ２５を光磁気ディスク３に近接離間する方向及び光磁気ディスク３の径方向に変位駆動させる対物レンズ駆動機構を有している。この対物レンズ駆動機構は、対物レンズ２５を、この対物レンズ２５の光軸方向に近接離間する方向であるフォーカシング方向及び光磁気ディスク３の径方向であるトラッキング方向に変位させる２軸アクチュエータである。この対物レンズ駆動機構は、例えば、光ピックアップ１２のベースに配設されるマグネットと、対物レンズ２５のレンズホルダにマグネットと対向するように配設されるコイルとからなり、コイルに流れるフォーカシングサーボ信号及びトラッキングサーボ信号に応じた電流とマグネットが発生する磁界とにより駆動力を発生し、対物レンズ２５をフォーカシング方向に変位させるとともに、磁気ヘッド２６及び対物レンズ２５を光磁気ディスク３の径方向に送り操作する。対物レンズ駆動機構は、フォーカシングサーボ信号及びトラッキングサーボ信号により、光ピックアップ１２のトラッキング制御及びフォーカシング制御を行う。
【００３２】
なお、シャーシ２１の一方の主面に設けられた装着部２０には、その他に、シャーシ２１に載置されるディスクカートリッジ２の装着位置の位置決めをする位置決め突起２９、ディスクカートリッジ２がシャーシ２１に載置されたことを検出する押圧型のスイッチ等からなる検出部３０等が設けられている。
【００３３】
シャーシ２１に回動可能に取り付けられるカートリッジホルダ２２は、図１に示すように、薄い金属板を折り曲げて形成され、ディスクカートリッジ２を収納保持できる大きさに形成されている。このカートリッジホルダ２２は、ディスクカートリッジ２の上面側を覆うに足る大きさを有する略矩形状に形成された天板部３２を有し、天板部３２の相対向する両側に、このカートリッジホルダ２２の挿入されるディスクカートリッジ２の両側を支持する第１及び第２のカートリッジ保持部３３，３４が設けられている。これら第１及び第２のカートリッジ保持部３３，３４は、天板部３２の両側を垂直に折り曲げて形成されたカートリッジホルダ２２の側壁と、これら側壁の先端側を天板部３２と平行となるように折り曲げて形成されたカートリッジ支持片とからなり、ディスクカートリッジ２を保持できるように断面略コ字状に構成されている。
【００３４】
カートリッジホルダ２２は、第１及び第２のカートリッジ保持部３３，３４が形成された両側に直交する前面側の第１及び第２のカートリッジ保持部３３，３４との間の開放された部分がカートリッジ挿脱口とされ、このカートリッジ挿脱口を介してディスクカートリッジ２が第１及び第２のカートリッジ保持部３３，３４間に挿入される。ディスクカートリッジ２は、第１及び第２のカートリッジ保持部３３，３４間のカートリッジ挿脱口より挿入されると、シャッタ部材５が取り付けられた前面側と、前面側と対向する背面側とが第１及び第２のカートリッジ保持部３３，３４に保持される。
【００３５】
カートリッジホルダ２２の第１のカートリッジ保持部３３を構成する側壁の長手方向の略中央部には、カートリッジホルダ２２に挿入されるディスクカートリッジ２の一側面側に形成したシャッタ開放部材進入溝に進入し、シャッタロック部材を弾性変形させてシャッタ部材５のロックを解除するシャッタ開放片３５がカートリッジホルダ２２の内方に向かって折り返し形成されている。このシャッタ開放片３５は、シャッタ部材５をカートリッジホルダ２２の内方に挿入されるカートリッジ本体２ｃに対して一方向に移動させて記録再生用の開口部４，４を開放する方向に移動させる。
【００３６】
第１のカートリッジ保持部３３を構成する側壁のシャッタ開放片３５が設けられた位置よりカートリッジ挿脱口側の位置には、カートリッジホルダ２２に挿入されたディスクカートリッジ２に取り付けられたシャッタ部材５を記録再生用開口部４，４を開放した位置に保持すると共に、ディスクカートリッジ２をカートリッジホルダ２２からイジェクトする際、カートリッジホルダ２２から突出される方向に移動させるカートリッジ本体２ｃに対しシャッタ部材５を保持し、シャッタ部材５を記録再生用の開口部４，４を閉塞する方向に移動させるシャッタ保持片３６が設けられている。このシャッタ保持片３６は、側壁にＵ字状の切り込みを穿設することによって側壁に一体に弾性変位可能に形成されている。シャッタ保持片３６は、側壁の基端部から先端部側に向かって延長するように形成され、先端部側にシャッタ部材５の係合孔に係合する係合突部が形成され、この係合突部をシャッタ部材５の係合孔に係合させることによって、シャッタ部材５を記録再生用開口部４，４を開放した位置に保持する。
【００３７】
このカートリッジホルダ２２の天板部３２には、光ピックアップ１２に連結された磁気ヘッド２６が延在され、磁気ヘッド２６が天板部３２に設けられた磁気ヘッド用開口部３７よりカートリッジホルダ２２内に臨まされている。磁気ヘッド用開口部３７は、ディスクカートリッジ２がシャーシ２１の装着部２０に装着されたとき、シャッタ部材５が一方向に移動することによって開放された記録再生用の開口部４，４に対応する位置に設けられている。
【００３８】
カートリッジホルダ２２の天板部３２には、操作モードに応じて磁気ヘッド２６を光磁気ディスク３に近接離間させるため、磁気ヘッド２６が先端部に取り付けられたヘッド支持アーム２８を昇降操作させる昇降操作部材３８が設けられている。昇降操作部材３８は、ヘッド支持アーム２８の下面側に位置してヘッド支持アーム２８を回動操作する回動操作板３９を有し、この回動操作板３９の基端部側の両側から一対の支持アーム４０が形成されている。昇降操作部材３８は、天板部３２に設けられた磁気ヘッド用開口部３７に掛け渡すように配設され、支持アーム４０の基端部側に突設した支軸を天板部３２の一部を切り起こして形成した回動支持片に支持されて天板部３２に取り付けられている。この昇降操作部材３８は、図示しない駆動機構によって回動操作され、磁気ヘッド２６をシャーシ２１の装着部２０に装着されているディスクカートリッジ２の光磁気ディスク３に対して近接離間する方向に昇降させる。昇降操作部材３８は、光磁気ディスク３にデータを記録するとき、磁気ヘッド２６が光磁気ディスク３に摺動するように下降させ、再生時、停止時、イジェクト時等には、磁気ヘッド２６を光磁気ディスク３から離間する方向に上昇させる。
【００３９】
装置本体１０に接続ケーブル１４を介して着脱自在とされる操作部１５は、図２に示すように、装置本体１０の接続部１６に接続するための接続ケーブル１４と、電池端子及び電池蓋を有する電池収納部４２と、この電池収納部４２に収納される電池４３と、装置本体１０に対して操作信号を入力する操作釦４４と、表示用データ等に応じてこの携帯型電子機器１の動作状況を表示する表示部４５とを有する。
【００４０】
接続ケーブル１４は、図３に示すように、操作部１５の操作釦４４により入力された操作信号をシステムコントローラに送るとともに、装置本体１０の電源回路６２の電力を操作部１５に収納された電池４３から供給する。ここで、接続ケーブル１４は、操作部１５と一体として形成されたが、操作部と分離できるように別体で設け、操作部及び接続ケーブルに接続部を設け、この接続部で操作部及び接続ケーブルを接続するように構成してもよい。
【００４１】
電池４３は、表示部４５及び操作部１５の回路の電力を供給するとともに、接続ケーブル１４を介して装置本体１０の電源回路６２に電力を供給する。すなわち、操作部１５に設けられた電池４３は、電源回路６２を介して、スピンドルモータ２４、回転制御部５３、ドライバ５２、サーボ回路５４、ヘッド駆動回路５９等の装置本体１０の全ての回路の電力を供給する。
【００４２】
操作部１５は、具体的に、操作信号を入力する操作釦４４として、装置本体１０の装着部２０に装着された光磁気ディスク３に対して記録データの記録を開始する記録釦４４ａや、光磁気ディスク３に記録されているデータの再生を開始する再生釦４４ｂや、記録再生動作を停止する停止釦４４ｃを備える。尚、この操作釦４４は、操作スイッチにより構成してもよく、操作信号を入力する釦の種類も、上述したものの他、一時停止、早送り、早戻し、頭出しサーチ等の操作情報を、装置本体１０のシステムコントローラ６０に供給するものである。
【００４３】
操作部１５は、これらの操作釦４４が押されることにより、携帯型電子機器１を操作するための各種操作信号を生成し、生成した各種操作信号を接続ケーブルを介してシステムコントローラ６０に出力する。
【００４４】
表示部４５は、液晶表示パネル等から構成されており、記録又は再生時における光磁気ディスク３の動作モード状態や、トラックナンバ、記録時間又は再生時間、編集動作状態等を表示する。
【００４５】
次に、以上のような携帯型電子機器１の装置本体１０の回路構成について、図３を参照して説明すると、この携帯型電子機器１は、光ピックアップ１２からの出力よりＲＦ信号等各種信号を生成するＲＦアンプ５１と、光ピックアップ１２等を駆動するドライバ５２と、スピンドルモータ２４を駆動する回転制御部５３と、スピンドルモータ２４等のサーボ信号を生成するサーボ回路５４と、ディジタル信号処理を行うディジタルシグナルプロセッサ（以下、ＤＳＰという。）５５と、ディジタル信号をアナログ信号に変換するディジタル／アナログ変換器（以下、単にＤ／Ａ変換器という。）５６と、アナログ信号をディジタル信号に変換するアナログ／ディジタル変換器（以下、Ａ／Ｄ変換器という。）５７と、Ｄ−ＲＡＭ(Dynamic Random Access Memory)により構成されたバッファメモリ５８と、磁気ヘッド２６の駆動制御を行うヘッド駆動回路５９と、システム全体を制御するシステムコントローラ６０と、これら回路に対して、安定化した電力を供給する電源回路６２とを備える。
【００４６】
ＲＦアンプ５１は、光ピックアップ１２を構成する光検出器からの出力信号に基づいて、ＲＦ信号、フォーカシングエラー信号及びトラッキングエラー信号を生成する。また、ＲＦアンプ５１は、光磁気ディスク３にウォブリンググルーブとして記録された絶対位置情報であるグルーブ情報信号を抽出する。例えばフォーカシングエラー信号は、非点収差法等により生成され、トラッキングエラー信号は、３ビーム法、プッシュプル法等により生成される。そして、ＲＦアンプ５１は、ＲＦ信号及びグルーブ情報信号をＤＳＰ５５に出力し、フォーカシングエラー信号及びトラッキングエラー信号をサーボ回路５４に出力する。
【００４７】
サーボ回路５４は、ＲＦアンプ５１から供給されるフォーカシングエラー信号に基づくフォーカシングサーボ制御、トラッキングエラー信号、システムコントローラ６０からのトラックジャンプ指令やアクセス指令等に基づいて光ピックアップ１２及びスピンドルモータ２４のサーボ制御等を行う。
【００４８】
具体的に、このサーボ回路５４は、ＲＦアンプ５１から供給されたフォーカシングエラー信号から、フォーカシング方向の目標値との誤差量を検出し、この検出結果に基づいたサーボ信号をドライバ５２に出力する。ドライバ５２は、このフォーカシングサーボ信号に応じた駆動電流を光ピックアップ１２の対物レンズ駆動機構のフォーカシングコイルに出力することにより、対物レンズ２５を光磁気ディスク３の信号記録面に対して近接離間するフォーカシング方向に駆動変位させる。
【００４９】
このサーボ回路５４は、回転制御部５３を介してスピンドルモータ２４を光磁気ディスク３を角速度一定又は線速度一定回転するように駆動すると共に、システムコントローラ６０からの指令に基づいた制御信号を回転制御部５３に供給することによって、スピンドルモータ２４の駆動又は停止の制御を行う。また、このサーボ回路５４は、システムコントローラ６０からの指令に基づいた制御信号をドライバ５２に供給することによって、光ピックアップ１２における半導体レーザの点灯又は消灯、並びにレーザ出力等の駆動制御を行う。
【００５０】
ＤＳＰ５５は、ＲＦアンプ５１からグルーブ情報信号が供給されるアドレスデコーダ６３を有している。このアドレスデコーダ６３は、ＲＦアンプ５１から供給されたグルーブ情報信号をデコードしてアドレス情報を抽出する。このアドレス情報は、システムコントローラ６０に供給され、各種の駆動制御に用いられる。また、ＤＳＰ５５は、ＥＦＭ／ＣＩＲＣエンコーダ／デコーダ６４と、耐振用メモリコントローラ６５と、圧縮エンコーダ／デコーダ６６とを有している。
【００５１】
ＥＦＭ／ＣＩＲＣエンコーダ／デコーダ６４は、光磁気ディスク３に記録されたデータの再生をするとき、ＲＦアンプ５１から入力されたＲＦ信号に対して、ＥＦＭ(Eight to Fourteen Modulation)復調等の復調処理やＣＩＲＣ(Cross Interleave Reed-Solomon Code)等のエラー訂正復号処理を行う。また、光磁気ディスク３にデータを記録するとき、耐振用メモリコントローラ６５の制御によってバッファメモリ５８に一時的に記録されたデータが所定のデータ単位で入力され、入力されたデータに対してＣＩＲＣ等のエラー訂正符号化処理を施すと共に、ＥＦＭ等の変調処理を施し、ヘッド駆動回路５９へ出力する。
【００５２】
耐振用メモリコントローラ６５は、Ｄ−ＲＡＭ（Dynamic-Random Access Memory ）等のバッファメモリ５８へのデータの書き込みやバッファメモリ５８からのデータの読み出しを制御する。具体的に、耐振用メモリコントローラ６５は、光磁気ディスク３に記録されているデータの再生をするとき、ＥＦＭ／ＣＩＲＣエンコーダ／デコーダ６４から出力されたデータをバッファメモリ５８に書き込み、この後、所定データ単位でデータを読み出し、読み出したデータを圧縮エンコーダ／デコーダ６６に出力する。また、耐振用メモリコントローラ６５は、光磁気ディスク３にデータを記録するとき、圧縮エンコーダ／デコーダ６６より入力されたデータをバッファメモリ５８に書き込み、この後、所定データ単位でデータを読み出し、読み出したデータをＥＦＭ／ＣＩＲＣエンコーダ／デコーダ６４へ出力する。
【００５３】
圧縮エンコーダ／デコーダ６６は、オーディオデータ等のデータの圧縮伸長を行う。具体的に、圧縮エンコーダ／デコーダ６６は、光磁気ディスク３に記録されているデータの再生をするとき、バッファメモリ５８から読み出されたＡＴＲＡＣ(Adaptive Transform Acoustic Coding)等の方式で圧縮されているデータの伸長処理を行い、Ｄ／Ａコンバータ５６に出力する。また、圧縮エンコーダ／デコーダ６６は、光磁気ディスク３にデータを記録するとき、Ａ／Ｄ変換器５７からのディジタルデータの圧縮処理をし、圧縮したデータをバッファメモリ５８に出力する。
【００５４】
ヘッド駆動回路５９は、ＥＦＭ／ＣＩＲＣエンコーダ／デコーダ６４でエラー訂正符号化処理や変調処理が施された記録データに応じて外部磁界を磁気ヘッド２６に発生させる。このとき、ヘッド昇降機構は、システムコントローラ６０からの指令の基づいて、磁気ヘッド２６を光磁気ディスク３の光ピックアップ１２と対向する面とは反対側の面に接触又は近接させる。光磁気ディスク３は、光磁気記録層に光ピックアップ１２により光ビームが照射されてキュリー温度以上に加熱され磁気ヘッド２６により磁界が印加されることによってデータが記録される。
【００５５】
システムコントローラ６０は、操作部１５から接続ケーブル１４を介して供給された操作情報に応じた各部の動作制御を実行する。
【００５６】
電源回路６２は、接続ケーブル１４を介して操作部１５に収納された電池４３から電力が供給される。そして、電源回路６２は、この電力を、スピンドルモータ２４、回転制御部５３、ドライバ５２、サーボ回路５４、ヘッド駆動回路５９を含めた装置本体１０内の全ての駆動部及び全ての回路に対して、安定化して供給する。
【００５７】
次に、以上のように構成された携帯型電子機器１の動作について説明する。
【００５８】
先ず、携帯型電子機器１を構成する装置本体１０に対して蓋体が内部を開放する方向に回動され、装置本体１０内に構成された装着部２０が開放された状態において、ディスクカートリッジ２は、図１に示すように、シャッタ部材５が設けられた前面部に直交する一側面部を挿入端として、装置本体１０内に挿入される。すると、ディスクカートリッジ２は、蓋体と連動したカートリッジホルダ２２に保持される。このとき、シャッタ部材５は、カートリッジホルダに設けられたシャッタ開放片３５によってシャッタロックが解除され、カートリッジ本体２ｃの前面部に沿ってスライドされ、カートリッジ本体２ｃに設けられた開口部４，４を開放し、光磁気ディスク３の信号記録領域を内外周に亘ってカートリッジ本体２ｃの外部に臨ませる。
【００５９】
装置本体１０の内部を開放した状態にある蓋体を、装置本体１０の内部を閉塞する方向に回動操作すると、カートリッジホルダ２２に保持されたディスクカートリッジ２は、シャーシ２１に構成された装着部２０に装着される。すると、カートリッジ本体２ｃの下ハーフ２ｂ側略中央部に設けられた駆動用の開口部６からは、回転駆動部１３を構成するディスクテーブルが内部に進入する。そして、ディスクテーブルは、光磁気ディスク３に設けられているクランピングプレート３ａを磁気吸引し、光磁気ディスク３のセンタ孔に係合し、光磁気ディスク３のセンタリングを図り、光磁気ディスク３を回転可能な状態にする。
【００６０】
次に、シャーシ２１の装着部２０に装着されたディスクカートリッジ２の光磁気ディスク３にデータを記録する場合について説明する。先ず、ユーザによって操作部１５を構成する記録釦４４ａが押されると、記録開始信号がシステムコントローラ６０に入力される。すると、システムコントローラ６０は、スピンドルモータ２４を駆動し光磁気ディスク３を線速度又は角速度一定で回転する。これと共に、光ピックアップ１２を構成する半導体レーザが駆動され、データ読み出し用の出力レベルで光ビームが出射される。
【００６１】
また、光ピックアップ１２は、ドライバ５２により駆動されて、光磁気ディスク３の径方向に移動する。これによって、光ピックアップ１２は、光磁気ディスク３の内周側に移動され、対物レンズ駆動機構がフォーカシングサーボ信号に基づいてフォーカシングサーボ制御を行い、記録位置を特定するためアドレスデータの読み出しを開始する。すなわち、アドレスデコーダ６３は、ＲＦアンプ５１から入力されたグルーブ情報信号よりアドレス情報を生成し、生成したアドレス情報をシステムコントローラ６０に出力する。
【００６２】
システムコントローラ６０がアドレスデコーダ６３から入力されたアドレス情報に基づいて記録データの記録位置を特定すると、磁気ヘッド２６は、昇降操作部材３８が回動されることによって、光磁気ディスク３に近接される。これと共に、光ピックアップ１２の半導体レーザは、データ記録用の出力レベルで光ビームを出射する。光磁気ディスク３は、光ピックアップ１２により光ビームが照射されてキュリー温度以上に加熱されると共に、磁気ヘッド２６により磁界が印加されることによってデータの記録が開始される。
【００６３】
このとき、ドライバ５２は、システムコントローラ６０からのトラックジャンプ等の制御信号に応じたスレッド信号と対物レンズのトラッキングエラー信号に応じた駆動信号が入力される。ドライバ５２は、スレッド信号とトラキングサーボ信号に基づいて生成された駆動信号に基づいて、上述のように光ピックアップ１２を光磁気ディスク３の径方向に移動させると共に、光磁気ディスク３の記録トラックに対して直交する方向に移動させ、対物レンズ２５のトラッキング制御を行う。すなわち、ドライバ５２は、微細な対物レンズ２５のトラッキング制御とトラッキング制御に対して大まかな光ピックアップ１２の光磁気ディスク３の径方向の送り操作とを行う。
【００６４】
光磁気ディスク３に記録する記録データは、オーディオ入力端子６８から入力された信号がアナログ信号であるときＡ／Ｄ変換器５７によってディジタル信号に変換される。そして、ディジタル信号の記録データは、この後、圧縮エンコーダ／デコーダ６６でＡＴＲＡＣにより圧縮され、耐振用メモリコントローラ６５によってバッファメモリ５８へ一時的に書き込まれ、このバッファメモリ５８より所定のデータ単位毎に読み出されて、ＥＦＭ／ＣＩＲＣエンコーダ／デコーダ６４でＥＦＭ変調、並びにエラー訂正に関するＣＩＲＣ等のエンコード処理が行われた後に、ヘッド駆動回路５９へと供給される。そして、ヘッド駆動回路５９は、記録データに応じて変調された外部磁界を磁気ヘッド２６に発生させる。磁気ヘッド２６は、光ピックアップ１２により光ビームが照射されキュリー温度以上に加熱された位置に外部磁界を印加してデータを記録する。
【００６５】
次に、ディスクカートリッジ２の光磁気ディスク３に記録されているデータの再生を行うときについて説明する。ユーザによって操作部１５を構成する再生釦４４ｂが押されると、再生開始信号がシステムコントローラ６０に入力され、システムコントローラ６０は、これを、サーボ回路５４に出力する。なお、再生時のサーボ回路５４の動作は、記録時とほぼ同様なため詳細は省略するが、再生時には、磁界を光磁気ディスク３に印加する必要がないことから、ヘッド昇降機構により光磁気ディスク３に対して離間した状態にされる。また、光ピックアップ１２の半導体レーザは、データ読み出し用の出力レベルの光ビームを出射する。
【００６６】
光ピックアップ１２が光磁気ディスク３に光ビームを照射し、反射された戻りの光ビームを検出すると、再生データは、ＥＦＭ／ＣＩＲＣエンコーダ／デコーダ６４でＥＦＭ復調、並びにＣＩＲＣ等のエラー訂正復号化処理が行われ、耐振用メモリコントローラ６５によってバッファメモリ５８へと書き込まれる。バッファメモリ５８に一旦書き込まれた再生データは、所定のデータ単位毎に読み出されて、圧縮エンコーダ／デコーダ６６に供給され、ＡＴＲＡＣによるデコード処理が行われ伸長される。この伸長された再生データは、Ｄ／Ａ変換器５６によってアナログ信号に変換された後に、オーディオ出力端子６７に接続されたスピーカ、イヤホン、ヘッドフォン等の電気音響変換器から可聴音に変換されて出力される。
【００６７】
以上のように構成される携帯型電子機器１では、装置本体１０とは別体に設けられた操作部１５に収納された電池４３により、装置本体１０を駆動させることができるので、装置本体１０に電池を設けない構成とすることができ、装置本体から電池を設けない構成により、装置本体の薄型化、軽量化を実現できる。尚、装置本体１０を駆動する電池が操作部１５に配置されることで操作部１５自体の大きさは大きくなるが、操作部１５は、ユーザが操作を行う関係上ある程度の大きさ及び重量が必要なものである。本発明を適用した携帯型電子機器１は、別体に形成される操作部１５の大きさ及び重量の余裕を利用して装置本体１０を駆動させる電池を配置することで、装置本体１０の薄型化、軽量化を実現するものであり、さらに、携帯性、利便性を向上させるものである。
【００６８】
また、本発明を適用した携帯型電子機器１によれば、装置本体１０に電池を設けない構成により、各種ジャック、電気部品、つまみ、釦、表示部等の配置の自由度を向上させることができる。さらに、この携帯型電子機器１によれば、装置本体１０の電池蓋、電池端子等の部品を削減でき、電池蓋をなくすことで、落下時の衝撃による損傷を防止することができるので、市場における不良品を削減することができる。
【００６９】
以上の例では、ディスクカートリッジ２を情報記録媒体に用いる携帯型電子機器１を例に取り説明したが、本発明はこれに限定されるものではなく、磁気ディスク、再生専用、追記型若しくは書換型の光ディスク又はこれらのディスクをカートリッジに収納したディスクカートリッジに対して情報の記録及び／又は再生を行う携帯型電子機器であってもよい。
【００７０】
また、以上の例では、情報記録媒体であるディスクカートリッジ２を着脱自在に保持する保持部としてカートリッジホルダ２２を有するように構成したが、本発明は、これに限られるものではなく、機器内部に情報記録媒体として内蔵されるハードディスクと、これを保持する保持部とを有し、このハードディスクに対して情報の記録及び／又は再生を行う携帯型電子機器であってもよい。
【産業上の利用可能性】
【００７１】
本発明は、情報記録媒体に対して情報信号の記録及び／又は再生を行う携帯型電子機器であれば、上述したディスクフォーマット以外に対しても適用可能である。例えば、情報記録媒体は、光変調記録を用いた種々の方式の記録再生ディスク、いわゆる光磁気記録、相変化記録及び色素記録等を含む光ディスク、具体的には「ＣＤ−Ｒ／ＲＷ」、「ＤＶＤ−ＲＡＭ」、「ＤＶＤ−Ｒ／ＲＷ」、「ＤＶＤ＋ＲＷ」等、又は、各種光磁気記録媒体であってもよいし、電子機器に内蔵されるハードディスクであってもよい。
【図面の簡単な説明】
【００７２】
【図１】本発明を適用した携帯型電子機器の装置本体のカートリッジホルダ及びこのカートリッジホルダに保持されるディスクカートリッジを示す斜視図である。
【図２】本発明を適用した携帯型電子機器の概略を示す斜視図である。
【図３】本発明を適用した携帯型電子機器の構成を示すブロック図である。
【符号の説明】
【００７３】
１  携帯型電子機器、  ２  ディスクカートリッジ、  ３  光磁気ディスク、  １０  装置本体、  １２  光ピックアップ、  １３  回転駆動部、  １４  接続ケーブル、  １５  操作部、  ２０  装着部、  ２１  シャーシ、  ２２  カートリッジホルダ、  ２３  支軸、  ２４  スピンドルモータ、  ２５  対物レンズ、  ２６  磁気ヘッド、  ４３  電池、  ４４  操作釦、  ４５  表示部、  ５１  ＲＦアンプ、  ５２  ドライバ、  ５３  回転制御部、  ５４  サーボ回路、  ６０  システムコントローラ、  ６２  電源回路  
【図１】
2006147109.tif 000003
【図２】
2006147109.tif 000004
【図３】
2006147109.tif 000005